(57)【特許請求の範囲】
【請求項１】
建物ユニット同士の接合部を覆う壁材に、スイッチ、コンセント等の電器機器を取り付けたユニット住宅の壁構造であって、前記電器機器は、前記壁材に沿って設けられる表面部と、壁材の裏面側へ突出する本体部とを備え、その本体部が前記建物ユニットの接合部において隣接する柱間に位置していることを特徴とする、ユニット住宅の壁構造。
【請求項２】
前記壁材は現場施工により設けられ、前記電器機器は、施工前の前記壁材に対して予め取り付けられている、請求項１記載のユニット住宅の壁構造。
【請求項３】
前記電器機器は、前記壁材の高さ方向に間隔をおいて複数個取り付けてあることを特徴とする、請求項１記載のユニット住宅の壁構造。
【請求項４】
前記壁材は、下地材としての合板と、その合板上に貼られた石膏ボードとを含む、請求項１記載のユニット住宅の壁構造。
【請求項５】
前記壁材が工場等で製作されたユニット壁材であり、スペーサや補強材等を兼ねた枠材を含むことを特徴とする、請求項１〜４の何れかに記載のユニット住宅の壁構造。
【発明の詳細な説明】
【０００１】
【発明の属する技術分野】
本発明は、建物ユニット同士の接合部や、その接合部を覆う壁材の有効利用を図ることができるユニット住宅の壁構造に関する。
【０００２】
【背景技術】
ユニット工法による住宅では、建物ユニット同士の接合部（ジョイント部分）が存在する。例えば鉄骨系ユニット住宅では、四隅に鉄骨柱を配置した建物ユニットを使用するため、建物ユニット同士の接合部に加えて、建物ユニットの建て込みに必要な隙間（柱間の隙間）も生じる。従って、この接合部に相当する領域の内装工事等は一部が現場施工となる場合が多い。
【０００３】
【発明が解決しようとする課題】
ところで、この鉄骨系ユニット住宅では、建物ユニット同士の接合部となる領域において、特に、柱が隣り合う部分にはコンセントやスイッチ等の電器機器を現場施工にて取り付けることは難しい。その理由は、柱同士が近接した状態であり、柱間のスペースが狭いからである。
【０００４】
コンセントやスイッチ等の電器機器は、通常、間仕切り等の壁材に穴を開けてそこへ取り付ける。その際、壁材の裏側のスペースが十分に確保されている場合、その取り付け作業や配線コードとの結線作業等は比較的容易に行うことができる。しかし、建物ユニット同士の接合部を覆う壁材の裏側には隣り合う柱が間近に存在し、柱同士の間隔も狭く、例えば５ｃｍ前後しかないために作業性が悪い。
【０００５】
こうした理由があるにも拘わらず、建物のプランによっては、建物ユニット同士の接合部となる領域に対してもコンセントやスイッチ等の電器機器を設置することを要求される場合が多々あった。そのため、この点に対する解決策が望まれていた。
【０００６】
よって、本発明の課題は、建物ユニット同士の接合部や、その接合部を覆う壁材の有効利用を図ることで、接合部の領域に対してコンセントやスイッチ等の電器機器を容易に取り付けることができるユニット住宅の壁構造を提供することにある。
【０００７】
【課題を解決するための手段】
本発明を、図面を参照して説明すると、建物ユニット１同士の接合部２を覆う壁材３に、スイッチ５ａ、コンセント５ｂ等の電器機器５を取り付けたユニット住宅の壁構造であって、前記電器機器５は、前記壁材３に沿って設けられる表面部５１と、壁材３の裏面側へ突出する本体部５２とを備え、その本体部５２が前記建物ユニット１の接合部２において隣接する柱１１間に位置していることを特徴としている。
【０００８】
このような本発明によれば、電器機器５は、壁材３に沿って設けられる表面部５１と、壁材３の裏面側へ突出する本体部５２とを備え、その本体部５２が柱１１間に位置するようにしている。これにより、建物ユニット１同士の接合部２や、その接合部２を覆う壁材３の有効利用を図り、接合部２の領域に対してコンセントやスイッチ等の電器機器を容易に取り付けることができる。
【０００９】
ここで、前記壁材３は現場施工により設けられ、前記電器機器５は施工前の前記壁材３に対して予め取り付けられていることが望ましい。電器機器５を壁材３に予め取り付けておくことで、壁材３の施工と共に電器機器５の施工を行うことができるからである。その場合、柱間の狭いスペースへは本体部５２を単に進入させる作業となるので、作業性が格段に向上する。
【００１０】
前記電器機器５は、壁材３の高さ方向に間隔をおいて複数個取り付けることが望ましい。柱１１間の隙間は壁材３の高さ方向に存在しているので、この方向には電器機器５を必要な数だけ配列することができるからである。
【００１１】
前記壁材３は、下地材としての合板３１と、その合板３１上に貼られた石膏ボード３２とを含む構成とすることができる。下地材に合板３１を用いることにより、石膏ボード３２の合板への取り付けが容易であり、かつ壁材３自体の現場施工も容易になるからである。
【００１２】
前記壁材３が工場等で製作されたユニット壁材であり、スペーサや補強材等を兼ねた枠材３３を含む構成とすることも望ましい。壁材３をユニット壁材として工場で製作した場合、現場では取り付け作業だけで済み、施工性が向上する。また、枠材３３を備えていることで、その枠材３３を利用した釘打ちやビス止め等の取り付け作業が容易になる。さらに、枠材３３の補強作用で壁材３として構造強度も高めることができる。
【００１３】
【発明の実施の形態】
本発明の好適な実施の形態について、図１、図２及び図３を参照して説明する。これらの図に示す実施の形態は、本発明を鉄骨系ユニット住宅に適用した例を示している。
【００１４】
図１は鉄骨系ユニット住宅の例を示す全体図である。図２は建物ユニット同士の接合部を示す要部の斜視図である。図３は要部の断面図である。
【００１５】
図１に示すユニット住宅Ｕは、四隅に配置した鉄骨柱１１と、それらの鉄骨柱（以下単に柱という）１１を連結する鉄骨梁（以下単に梁という）１２を備える建物ユニット１が複数接合され、その上に屋根ユニット１ａ、１ｂ等が接合されて構成されている。
【００１６】
従って、建物ユニット１同士の接合部２（ジョイント部分）が存在する。この場合、四隅に柱１１を配置した建物ユニット１を使用するため、建物ユニット１同士の接合部２に加えて、建物ユニット１の建て込みに必要な隙間（柱間の隙間）αが生じている。そのため、この接合部２に相当する領域の壁材３を含む内装工事は現場施工とせざるを得ない。
【００１７】
隙間αは、通常５ｃｍ前後であり、この実施の形態に係るユニット住宅では４５ｍｍである。従って、柱１１同士がが隣り合う部分にはコンセント５ａやスイッチ５ｂ等の電器機器５を現場施工にて取り付けることは難しい。
【００１８】
そこで、この実施の形態では、図２及び図３に示す壁構造を採用して施工性の問題を解決している。即ち、建物ユニット１同士の接合部２を覆う壁材３に、スイッチ５ａ、コンセント５ｂ等の電器機器５を予め取り付けたユニット住宅の壁構造としている。
【００１９】
その場合、電器機器５は、壁材３に沿って設けられる表面部５１と、壁材３の裏面側へ突出する本体部５２とを備えている構成のものを採用する。そして、本体部５２が建物ユニット１の接合部２において隣接する柱１１、１１間に位置するように設定している。従って、本体部１１の幅寸法は４５ｍｍ未満、好ましくは３５〜４０ｍｍ程度に設計されている。
【００２０】
このように、電器機器５は、壁材３に沿って設けられる表面部５１と、壁材３の裏面側へ突出する本体部５２とを備え、その本体部５２が柱１１間に位置するようにしている。これにより、建物ユニット１同士の接合部２や、その接合部２を覆う壁材３の有効利用を図り、接合部２の領域に対してコンセント５ａやスイッチ５ｂ等の電器機器５を容易に取り付けることができる。
【００２１】
勿論、壁材３は現場施工により設けられ、電器機器５は施工前の壁材３に対して予め取り付けられる。電器機器５を壁材３に予め取り付けておくことで、壁材３の施工と共に電器機器５の施工を行うことができるからである。その場合、柱１１間の狭いスペースである隙間αへは本体部５２を単に進入させる作業となるので、作業性が格段に向上する。電器機器５の配線コードとの接続は、壁材３を現場施工するときに接続すればよい。
【００２２】
電器機器５は、壁材３の高さ方向に間隔をおいて複数個取り付けることもできる。図示例のように、コンセント５ａとスイッチ５ｂを上下に間隔をおいて配置することができる。柱１１間の隙間αは壁材３の高さ方向に存在しているので、この方向には電器機器５を必要な数だけ配列することができる。
【００２３】
壁材３は、下地材としての合板３１と、その合板３１上に釘打ちにより貼られた石膏ボード３２とを含む構成としている。下地材に合板３１を用いることにより、石膏ボード３２の合板への取り付けを釘３５の打ち付けで容易に行える。さらに、壁材３自体の現場施工も釘打ちやビス止めにより容易に行うことができる。
【００２４】
壁材３は工場等で製作されたユニット壁材であり、スペーサや補強材等を兼ねた枠材３３を含む構成としている。この例では、合板３１の長さ方向両側に配置している。このように、壁材３を電器機器５付きのユニット壁材として工場で製作しておくことで、現場では取り付け作業だけで済み、施工性が向上する。また、枠材３３を備えていることで、その枠材３３を利用した釘打ちやビス止め等の取り付け作業が容易になる。さらに、枠材３３の補強作用で壁材３として構造強度も高めることができる。
【００２５】
なお、壁材３の製作に際しては、図３に示すように、隣り合う他の壁材３Ａ、３Ｂ間に緊密にはまりこむように設計することが好ましい。他の壁材３Ａ、３Ｂは通常、工場施工の壁材であるので、現場施工の壁材３にて調整することが望ましいからである。また、それら他の壁材３Ａ、３Ｂ表面の石膏ボード３ａ、３ｂと、現場施工の壁材３の石膏ボード３２との互いの表面が面一になるように配慮することが望ましい。
【００２６】
【発明の効果】
以上のように、本発明に係るユニット住宅の壁構造によれば、建物ユニット同士の接合部や、その接合部を覆う壁材の有効利用を図ることで、接合部の領域に対してコンセントやスイッチ等の電器機器を容易に取り付けることができ、施工性の向上を図ることができる。
【図面の簡単な説明】
【図１】本発明の実施の形態を示すユニット住宅の全体図である。
【図２】本発明の実施の形態を示すユニット住宅の要部の斜視図である。
【図３】本発明の実施の形態を示すユニット住宅の要部の断面図である。
【符号の説明】
１  建物ユニット
２  接合部
３  壁材
３１  合板
３２  石膏ボード
３３  枠材
３Ａ、３Ｂ  他の壁材
３ａ、３ｂ  石膏ボード
５  電器機器
５１  表面部
５２  本体部
５ａ  コンセント
５ｂ  スイッチ
１１  天骨柱（柱）
１２  鉄骨梁（梁）
α  隙間
Ｕ  ユニット住宅
【図１】
0004664541.tif 000002
【図２】
0004664541.tif 000003
【図３】
0004664541.tif 000004